(57)【要約】【課題】  光熱費の削減及び地球温暖化の原因となっている大気への熱負荷を軽減する空気調和機の室外機を提供する。【解決手段】  複数枚並設されているフィンに蛇行状に貫通している伝熱管と伝熱管の内部に水を送水するための水入口及び水出口とで構成されている熱交換器コイルを、吹き出し口の前面に傾斜させて設けると共に、熱交換器コイルの左右の側面及び天面を集熱板で囲むことにより、太陽の熱放射及び調和機の冷房運転の際に室外機から放出する熱風をファンで効果的に熱交換器コイルに集熱して、熱交換器コイルのフィン及び伝熱管を加熱することにより、熱交換器コイルの伝熱管内部の水の水温を上昇させてから浴槽へ使用するので、風呂の追い焚きの光熱費の削減及び大気への熱負荷の軽減になる空気調和機の室外機。【選択図】図６
2009162466.tif 000002
【特許請求の範囲】
【請求項１】
複数枚並設されているフィンに蛇行状に貫通している伝熱管と伝熱管の内部に水を送水するための水入口及び水出口とで構成されている熱交換器コイルを、吹き出し口の前面に傾斜させて設けた空気調和機の室外機。
【請求項２】
熱交換器コイルの左右上下に枠を設け、枠の左右の側面及び天面を集熱板で囲み、ベースの上に設け、集熱板とベースは、熱交換器コイルに取り付けられている枠により隙間を塞いだ空気調和機の室外機。
【請求項３】
暖かい外気及び太陽の熱放射を傾斜させて設けている熱交換器コイルのフィン及び伝熱管に効率良く伝熱させる為に、吸気ファンを設けた空気調和機の室外機。
【請求項４】
傾斜させて設けている熱交換器コイルと吹き出し口との間に、クロスフローファンを設けた空気調和機の室外機。
【請求項５】
吸気のクロスフローファンを取り付けるため、ベースに穴をあけて吸気口を設け、吸気口の下にクロスフローファンを設けた空気調和機の室外機。
【請求項６】
太陽光発電を行う為に、ソーラーパネルを設けた空気調和機の室外機。
【請求項７】
室外機の日除け及び太陽光発電を行う為に、ソーラーパネルを室外機カバーの天面に傾斜させて設けた空気調和機の室外機。
【請求項８】
クロスフローファンをソーラーパネル発電の給電により、運転できる回路を設けた空気調和機の室外機。
【請求項９】
クロスフローファンを商用電源の給電により、運転できる回路を設けた空気調和機の室外機。
【請求項１０】
太陽光発電を行う為のソーラーパネルの送電に、クロスフローファンを運転する送電だけでなく、他の負荷に送電するための配線を設けた空気調和の室外機。
【請求項１１】
他の負荷へ送電するため配線の末端に、差込口を設けた空気調和の室外機。
【請求項１２】
傾斜して設けた熱交換器コイルがずれないように、熱交換器コイルとベースが接している面にずれ防止を設けた空気調和の室外機。
【発明の詳細な説明】
【技術分野】
【０００１】  光熱費の削減及び地球温暖化の原因となっている大気への熱負荷を軽減することを図った空気調和機の室外機に関するものである。
【背景技術】
【０００２】  従来の空気調和機の室外機は、冷房運転において外気を吸い込み口側の熱交換器により加熱し、加熱した外気はファンによって、熱風となり吹き出し口から大気中へ放出していた。また、暖かい外気及び太陽の熱放射を有効利用していない。
【発明の開示】
【発明が解決しようとする課題】
【０００３】  そのために次のような問題点があった。
（イ）空気調和機の室外機の冷房運転において、吹き出し口から放出される熱風を有効利用していないと共に、吹き出し口から放出される熱風は、大気温度を上昇させ地球温暖化の原因の１つになっている。
（ロ）空気調和機の室外機を使用しない時、暖かい外気及び太陽の熱放射を有効利用してない。
これらの問題点を解決するためになされたものである。
【課題を解決するための手段】
【０００４】  上記（イ）の課題解決手段は、複数枚並設されているフィンに蛇行状に貫通しいる伝熱管と伝熱管の内部に水を送水するための水入口及び水出口とで構成されている熱交換器コイルを、吹き出し口の前面に傾斜させて設けた空気調和機の室外機。【０００５】  上記（ロ）の課題解決手段は、熱交換器コイルの左右の側面及び天面を集熱板で囲み、室外機カバーの天面に、ソーラーパネルを傾斜して設けると共に、吹き出し口と吹き出し口の前面に傾斜させて設けている熱交換器コイルとの間に、クロスフローファンを設けた空気調和機の室外機。
【発明の効果】
【０００６】  室外機から放出される熱風により、熱交換器コイルのフィン及び伝熱管を加熱することにより、熱交換器コイルの伝熱管内部の水の水温を上昇させてから浴槽へ使用するので追い焚きの光熱費の削減及び大気への熱負荷の軽減になる。【０００７】  熱交換器コイルのフィン及び伝熱管は、室外機から放出する熱風の勢いを抑える抵抗となり、近隣への熱風の被害を軽減する。【０００８】  悪天候で強風が吹いている際、室外機のプロペラファンが強風により逆回転して、プロペラファンモーター及び駆動回路に悪影響を与えますが、熱交換器コイルのフィン及び伝熱管は、強風の勢いを抑える抵抗となり、プロペラファンモーター及び駆動回路への悪影響を緩和する。【０００９】  また、熱交換器コイルの左右の側面及び天面を集熱板で囲むことにより、太陽の熱放射を効果的に熱交換器コイルに集熱すると共に、ソーラーパネルの発電によりクロスフローファンを運転して、暖かい外気を熱交換器コイルに送風し、熱交換器コイルのフィン及び伝熱管を加熱することにより、熱交換器コイルの伝熱管内部の水の水温を上昇させてから浴槽へ使用するので浴槽の追い焚きの光熱費の削減になる。【００１０】  ソーラーパネルは、室外機カバーの天面に傾斜して設けることにより、室外機の日徐になる。【００１１】  ソーラーパネル発電の送電回路は、室外機以外の負荷も使用できる送電回路なので、他の負荷を接続することにより電気代の節約になる。
【発明を実施するための最良の形態】
【００１２】  以下、本発明の実施するための形態を図１〜図７に基づいて説明する。【００１３】  空気調和機の室外機は、第１図に示すような構成になっている。
室外機本体１の内部には吹き出し口２を境に、熱交換器室３と熱交換器コイル室４に区画されている。熱交換器室３には、熱交換器５とプロペラファンモーター６の運転により回転するプロペラファン７があり、圧縮機（図示せず）と制御回路（図示せず）がある。室外機のカバー天面８の上に、ソーラーパネル９を傾斜させて設けてある。【００１４】  熱交換器コイル室４には、第２図に示すような構成になっている。
熱交換器コイル１０があり、熱交換器コイル１０は、複数枚並設されているフィン１３に蛇行状に貫通している伝熱管１４と伝熱管１４の内部に水を送水する為の水入口２０及び水出口２１がある。熱交換器コイル１０は、第１図に示すように、吹き出し口２の前面に傾斜してベース１１の上に設けられ、熱交換器コイル１０がずれないように、熱交換器コイル１０とベース１１が接している面にずれ防止１９を設けている。【００１５】  傾斜して設けている熱交換器コイル１０の左右の側面及び天面は、図２に示すように集熱板１７で囲まれ、熱交換器コイル１０の左右上下に枠１８を設け、すべての送風が、熱交換器コイルを通過するように、枠１８は集熱板１７及びベース１１の隙間を塞いでいる。【００１６】  クロスフローファン１２は、第３図に示すように設置している。吹き出し口２と傾斜して設けられている熱交換器コイル１０の間の設けられていて、ベース１１に穴をあけ吸気口１５を設け、吸気口１５の下にクロスフローファン１２を設ける。クロスフローファン１２は、ベース１１の下に取り付けられた据付台１６により地面から離れている。【００１７】  この様な構成された室外機１で、冷房運転において、第４図に示すように、プロペラファンモーター６が起動してプロペラファン７の回転により、外気は矢印の方向へ進む。外気は、室外機内に吸い込まれ熱交換器５を通過することにより加熱され、熱風となって、熱交換器コイル１０へ送風される。熱交換器コイル１０において、第５図に示すように、水道蛇口２２を開くと、外気温度より低い水温の水道水は往き配管２３を通り、熱交換器コイル１０の水入口２０から伝熱管１４へ送水すると、水道水は伝熱管１４及びフィン１３を冷却する。熱風は、第４図に示すように、矢印の方向に進み、冷却した伝熱管１４及びフィン１３に接触することにより、冷却され大気中へ放出するので、大気への熱負荷は軽減する。
逆に第６図に示すように、吹き出し口２の前面に傾斜して設けられている、熱交換器コイル１０の伝熱管１４の内部の水道水は、熱風により温まる。温まった水道水は、第５図に示すように還り配管２４通り、配管出口２５から浴槽２６へ送水することにより、浴槽２６の追い焚きの光熱費の削減及び大気へ放出される熱負荷の軽減となる。【００１８】  室外機を使用しない時、暖かい外気及び太陽の熱放射を有効利用する為、商用交流電源２７又はソーラーパネル９の発電によりクロスフローファン１２を運転することにより、図３で示すように、暖かい外気及び太陽の熱放射は矢印の方向へ進み、傾斜させて設けている熱交換器コイル１０を通過して吸気口１５からクロスフローファン１２を通り矢印の方向へ排気する。熱交換器コイル１０を通過した際、暖かい外気及び太陽の熱放射は、熱交換器コイル１０の伝熱管１４及びフィン１３を加熱し、伝熱管内部の水道水温は上昇する。上昇した水道水を浴槽２６へ送水することにより、浴槽２６の追い焚きの光熱費の削減及び大気への熱負荷の軽減となる。【００１９】  クロスフローファン１２の運転回路は、図７に示すように商用交流電源２７による給電の際は、ブレイカー２８及びダウントランス２９を通り、商用交流電源２７は全波整流３０により、直流電源に変換されて切換スイッチ３１を商用交流電源２７側に投入することによりクロスフローファン１２を運転する。
また、ソーラーパネル９発電の直流電源による運転は、切換スイッチ３１をソーラーパネル９側に投入し、切換スイッチ３２をクロスフローファン１２側に投入することにより運転できる。更に、ソーラーパネル９発電の直流電源は、切換スイッチ３２を他の負荷３３側に投入することにより、他の負荷３３へ送電できます。
尚、商用交流電源２７とソーラーパネル９発電の直流電源が混触しない様、切換スイッチ３１により確実に手動投入で切替えると共に、ダイオード３４及び３５により、電気の流れる方向をクロスフローファン１２又は他の負荷３３だけに絞っている。
【図面の簡単な説明】
【００２０】
【図１】空気調和機の室外機の断面図
【図２】熱交換器コイル室の斜視図
【図３】空気調和機の室外機の断面図
【図４】空気調和機の室外機の断面図
【図５】使用状態を示す斜視図
【図６】空気調和機の室外機の斜視図
【図７】商用交流電源及びソーラーパネル発電の送電回路図
【符号の説明】
【００２１】  １本体
２吹き出し口
３熱交換器室
４熱交換器コイル室
５熱交換器
６プロペラファンモーター
７プロペラファン
８室外機カバー天板
９ソーラーパネル
１０熱交換器コイル
１１ベース
１２クロスフローファン
１３フィン
１４伝熱管
１５吸気口
１６据付台
１７集熱板
１８枠
１９ズレ防止
２０水入り口
２１水出口
２２水道蛇口
２３往き配管
２４還り配管
２５配管出口
２６浴槽
２７商用交流電源
２８ブレイカー
２９ダウントランス
３０全波整流
３１切換スイッチ
３２切換スイッチ
３３他の負荷
３４ダイオード
３５ダイオード
【図１】
2009162466.tif 000003
【図２】
2009162466.tif 000004
【図３】
2009162466.tif 000005
【図４】
2009162466.tif 000006
【図５】
2009162466.tif 000007
【図６】
2009162466.tif 000008
【図７】
2009162466.tif 000009